(57)【特許請求の範囲】
【請求項１】
容器本体の充填空間につながる貫通孔を有し該容器本体の口部に装着されるベースと、該貫通孔を取り囲んで立ち上がるとともにその上部開口を閉鎖して該充填空間を封止する外筒とを備え、該外筒に設けた破断予定線に沿う引きちぎりにて内容物の注出を可能とする注出栓であって、
前記外筒の内側に、連結部を介して該外筒の内壁に一体連結するとともにその先端に前記充填空間内の内容物を注出する注出口を有する内筒を設け、
前記破断予定線は、前記外筒の全周にわたって環状に設けられ、
前記破断予定線が破断することで前記外筒の上部が引きちぎられ、前記内筒の注出口が露出することを特徴とする注出栓。
【請求項２】
前記連結部は、上方から下方に向けて傾斜する傾斜壁であり、該傾斜壁の下端部に前記充填空間に連通する液戻し孔を設けてなる請求項１に記載の注出栓。
【請求項３】
前記内筒の注出口は、前記傾斜壁と同方向に傾く傾斜開口である請求項２に記載の注出栓。
【請求項４】
前記連結部は、上方から下方に向けて傾斜する傾斜壁であり、前記内筒の注出口は、該傾斜壁と同方向に傾く傾斜開口であって、
前記傾斜開口の下端部を前記傾斜壁の下端部に接続するとともに、この接続部に該接続部から前記充填空間に向けて伸延する液戻しリブを設けてなる請求項１に記載の注出栓。
【請求項５】
前記接続部の頂壁は、前記傾斜壁の傾斜する向きと反対方向に傾く傾斜頂壁である請求項４に記載の注出栓。
【発明の詳細な説明】
【技術分野】
【０００１】
本発明は、内容物を充填した容器本体の口部に装着される注出栓に関するものである。
【背景技術】
【０００２】
例えばシャンプーやリンス、化粧品、整髪料、医薬品等の内容物を収容した容器本体の口部に装着される注出栓としては、例えば合成樹脂等によって形成され、使用前には容器本体の充填空間を密閉し、使用する直前に引きちぎりによって開封する、引きちぎりタイプの注出栓が知られている。このような注出栓として例えば特許文献１には、薄肉部を介して一体連結するもぎり栓部を有し、使用時には、このもぎり栓部を摘んで引っ張ることで薄肉部を破断させて、もぎり栓部を引きちぎって容器本体を開封する注出栓が示されている。
【先行技術文献】
【特許文献】
【０００３】
【特許文献１】特開２０１０−１２６２２０号公報
【発明の概要】
【発明が解決しようとする課題】
【０００４】
ところで、上述した引きちぎりタイプの注出栓は、容器本体に装着される注出栓本体部分と、引きちぎられる栓体部分とを一体連結しており、これらを１つの部材で構成することができるため、部材コストの削減に大きく寄与することができる反面、栓体部分の引きちぎりによって形成される注出栓本体部分の注出口は、その縁面が毛羽だったように荒れた状態（ギザギザ状）になってしまうことが通常である。このため、内容物を注出する際、注出口付近で内容物の流れが乱れやすくなり、特にこのタイプの注出栓を詰替え容器に適用した場合にあっては、相手方となる詰替えるべき容器の受給栓を通して内容物の詰替えを行うに際し、受給可能範囲が狭いため、所期した通りに内容物を注出することができずに周囲を汚してしまうおそれがあった。また、このように荒れた状態の注出口にあっては注出後の液切れも悪く、これらの不具合を解決した新たな注出栓の出現が、従来から強く望まれていた。
【０００５】
本発明の課題は、引きちぎりタイプの注出栓に関し、内容物の流れが乱れずに所期した通りに注出できる上、注出後の液切れにも優れる新規な注出栓を提案するところにある。
【課題を解決するための手段】
【０００６】
本発明は、容器本体の充填空間につながる貫通孔を有し該容器本体の口部に装着されるベースと、該貫通孔を取り囲んで立ち上がるとともにその上部開口を閉鎖して該充填空間を封止する外筒とを備え、該外筒に設けた破断予定線に沿う引きちぎりにて内容物の注出を可能とする注出栓であって、
前記外筒の内側に、連結部を介して該外筒の内壁に一体連結するとともにその先端に前記充填空間内の内容物を注出する注出口を有する内筒を設け、
前記破断予定線は、前記外筒の全周にわたって環状に設けられ、
前記破断予定線が破断することで前記外筒の上部が引きちぎられ、前記内筒の注出口が露出することを特徴とする注出栓である。
【０００７】
前記連結部は、上方から下方に向けて傾斜する傾斜壁であり、該傾斜壁の下端部に前記充填空間に連通する液戻し孔を設けることが望ましい。
【０００８】
前記内筒の注出口は、前記傾斜壁と同方向に傾く傾斜開口であることが望ましい。
【０００９】
前記連結部は、上方から下方に向けて傾斜する傾斜壁であり、前記内筒の注出口は、該傾斜壁と同方向に傾く傾斜開口であって、
前記傾斜開口の下端部を前記傾斜壁の下端部に接続するとともに、この接続部に該接続部から前記充填空間に向けて伸延する液戻しリブを設けることが望ましい。
【００１０】
前記接続部の頂壁は、前記傾斜壁の傾斜する向きと反対方向に傾く傾斜頂壁であることが望ましい。
【発明の効果】
【００１１】
容器本体の口部に装着されるベースに、破断予定線を備えるとともに上部開口を閉鎖して容器本体の充填空間を封止する外筒を一体連結し、その外筒の内側に、連結部を介して外筒の内壁に一体連結するとともにその先端に前記充填空間内の内容物を注出する注出口を有する内筒を設けたので、破断予定線に沿う外筒上部の引きちぎりによって、内筒の注出口を露出させることができる。この場合、注出口の縁面は滑らかな状態のままであるので、内容物を乱れなく注出させることができ、また注出後の液切れも良好となる。このため、本発明の注出栓は特に、詰替えるべき容器の受給栓に向けて内容物を所期した通りに注出させることが必要な、詰替え容器の注出栓として好適である。
また、注出栓は、一体で形成することができるので、従来の引きちぎりタイプの注出栓と同様に、部品コストを十分に抑制することができる。
【００１２】
内筒と外筒とを一体連結する連結部を、上方から下方に向けて傾斜する傾斜壁とし、この傾斜壁の下端部に充填空間に連通する液戻し孔を設ける場合は、横倒しや反転姿勢等により内筒の上方及び外側に貯溜された内容物をこの液戻し孔から充填空間内に速やかに回収することができるので、引きちぎりにて外筒を破断する際の液だれを有効に防止することができる。
【００１３】
内筒の注出口を、傾斜壁と同方向に傾く傾斜開口とする場合は、注出口の縁部に付着した内容物が、その縁部を伝って液戻し孔が設けられている側に向けて流れるので、注出口に付着していた内容物を液戻し孔に流れ込ませやすくなり、液戻し効果をより効果的に発揮させることができる。
更に、内容物注出時の傾倒姿勢の方向性を容易に認識することができ、スムーズな注出操作を可能とする。
【００１４】
ここで、内筒と外筒とを一体連結する連結部を、上方から下方に向けて傾斜する傾斜壁とし、内筒の注出口を、傾斜壁と同方向に傾く傾斜開口とするとともに、傾斜開口の下端部を前記傾斜壁の下端部に接続し、この接続部に、該接続部から充填空間に向けて伸延する液戻しリブを設ける場合は、内筒の上方及び外側に貯溜された内容物及び注出口の縁部に付着した内容物をこの接続部周辺に集めることができ、さらに、集まった内容物を、液戻しリブを伝わらせて充填空間内に流れ込ませることができるので、液戻し効果が十分に発揮される。
【００１５】
接続部の頂壁を、傾斜壁の傾斜する向きと反対方向に傾く傾斜頂壁とする場合は、接続部周辺に向けて流れてくる内容物に逆向きの流れを与えることができるので、流れの変化によって接続部周辺に集まった内容物が溜まりにくくなり、液戻し効果を一層有効に発揮させることができる。
【図面の簡単な説明】
【００１６】
【図１】本発明に従う注出栓の実施の形態を示す、（ａ）は側面視での断面図、（ｂ）はＡ−Ａに沿う断面図である。
【図２】図１に示す注出栓の上部開口を閉鎖して容器の口部に装着した、（ａ）は側面視での断面図、（ｂ）はＢ−Ｂに沿う断面図である。
【図３】本発明に従う他の注出栓の実施の形態を示す、（ａ）は平面図、（ｂ）は側面視での断面図、（ｃ）はＣ−Ｃに沿う断面図である。
【図４】図３に示す注出栓の上部開口を閉鎖して、容器の口部に装着した側面視での断面図である。
【発明を実施するための形態】
【００１７】
以下、図面を参照して、本発明をより具体的に説明する。
図１は、本発明に従う注出栓の実施の形態を示す、側面視での断面図、Ａ−Ａに沿う断面図であって、図２は、図１に示す注出栓の上部開口を閉鎖して、容器の口部に装着した平面図、側面視での断面図、Ｂ−Ｂに沿う断面図である。
【００１８】
図１において、１０は容器本体の口部に装着されるベースである。図示の例でベース１０は、円板状の天壁１１の縁部より垂下される環状壁１２を有し、天壁１１の中央部にその表裏を貫く貫通孔１３を備えている。環状壁１２の内面には、容器本体の口部に係合する注出栓側ねじ部１２ａが設けられている。なお、注出栓側ねじ部１２ａに代えて、アンダーカットで係合するようにしてもよい。また、図示の例では、環状壁１２の下端開口に、容器本体に装着された際にベース１０の回り止めとなる注出栓側凸部１２ｂが設けられている。注出栓側凸部１２ｂの回り止めとしての機能は、後述する。さらに、天壁１１の裏面には、環状壁１２から半径方向内側に間隔をあけて設けられる内側環状壁１４が一体連結している。
【００１９】
２０は、貫通孔１３を取り囲んで立ち上がり、ベース１０と一体連結する外筒である。外筒２０は、図１のＡ−Ａ断面に示す例では円筒状となっているが、筒状であればよく、多角形の筒状であってもよい。また、外筒２０は、引きちぎりによって破断する破断予定線２１を備えている。図示の例では、環状の薄肉部を設けて破断予定線２１を形成しているが、外筒２０の上部及び下部を形成する材料に対し、破断予定線２１を形成する部位を強度の弱い材料で形成して、これらを例えば二色成形で一体連結するようにしてもよい。
【００２０】
また、外筒２０の上部には上部開口２２が設けられている。上部開口２２は、例えば射出成形等で形成された時点においては、図１に示すように開口しているが、その後、熱を加えて溶着させたり接着剤等で接着したりすることで、図２に示すように壁面同士を固着して閉鎖される。
【００２１】
さらに、外筒２０には、破断予定線２１よりも上方に、摘み部２３を設けることが好ましい。これにより、摘み部２３を介して外筒２０の上部が引き上げられやすくなるので、引きちぎり作業が容易に行えることとなる。また、摘み部２３には、指掛かり部２３ａを設けることが好ましい。
【００２２】
３０は、外筒２０の内側に設けられる内筒である。図１に示すように内筒３０は、外筒２０の内壁２０ａに、連結部３１を介して一体連結されている。ここで、連結部３１は、容器本体の口部に取り付けられた際に、上方となる側から下方となる側に向けて傾斜する傾斜壁であることが好ましく、また、その下方となる側には、連結部３１の表裏を貫通する液戻し孔３２を設けることが好ましい。
【００２３】
内筒３０の頂部は、容器本体の充填空間内からの内容物を注出する注出口３３となっている。図１に示すように注出口３３は、上述した傾斜壁と同方向に傾く傾斜開口であることが好ましい。また、注出口３３には、内容物の液切れ効果を十分に発揮させるべく、僅かに外側に湾曲させたリップ３３ａを設けることが好ましい。
【００２４】
上記のように構成される注出栓は、図２に示すように容器本体４０の口部４１に装着される。口部４１の外面には、注出栓側ねじ部１２ａに対応する口部側ねじ部４１ａが形成されており、注出栓を容器本体４０に対して最後までねじ込むことで装着が完了する。なおこの場合、注出栓の内側環状壁１４は、口部４１の内面に液密に当接しているので、容器本体４０の充填空間Ｍ内に収容される内容物が、注出栓と口部４１との隙間から漏れ出すおそれがない。また、口部４１には、図２のＢ−Ｂ断面（ねじ込み終了直前の状態）に示すように口部側凸部４１ｂが設けられていて、図の矢印の向きに回転させると、注出栓側凸部１２ｂが口部側凸部４１ｂを乗り越えてねじ込みが終了する。これによりねじ込み終了後は、注出栓側凸部１２ｂと口部側凸部４１ｂとの係合によって、簡単には注出栓を逆方向側へ回転させることができないので、不用意な注出栓の取り外しが防止される。
【００２５】
その後、摘み部２３を引き上げると、外筒２０は破断予定線２１で破断して、摘み部２３を伴う外筒２０の上部が引きちぎられ、内筒３０の注出口３３が露出する。ここで、内筒３０の内側は、容器本体４０の充填空間Ｍにつながっているので、容器本体４０を傾倒姿勢に変移させることによって、充填空間Ｍ内の内容物をその流れを乱すことなく注出させることができ、また、注出後の液切れも良好となる。
【００２６】
そして、図２に示すように連結部３１を、上述した傾斜壁とし、また、この傾斜壁の下端部に充填空間に連通する液戻し孔３２を設ける場合は、固着閉鎖した外筒２０の上部開口２２と内筒３０の間に形成される空間領域や内筒３０外側に貯溜される内容物を傾斜壁の下端側に集めて、液戻し孔３２から充填空間Ｍ内に回収することができるので、引きちぎりにて外筒を破断する際の液だれが有効に防止される。
【００２７】
また、図２に示すように注出口３３を、傾斜壁である連結部３１と同方向に傾く傾斜開口とする場合は、注出口３３の縁部に付着した内容物が、注出口３３の縁部を伝い、液戻し孔３２が設けられている側に向けて流れるので、液戻し孔３２に流れ込ませやすくなり、液戻し効果をより効果的に発揮させることができる。
更に、内容物注出時の傾倒姿勢の方向性を容易に認識することができ、スムーズな注出操作を可能とする。
【００２８】
なお、摘み部２３は、連結部３１が傾斜壁である場合、図示のように傾斜方向が下方となる側に設けることが好ましい。これにより、摘み部２３を、図２に示す矢印の向きに傾けながら引き上げるにあたり、内筒３０が邪魔になることがないので、引きちぎり作業が容易となる。
【００２９】
次に、図３及び図４を参照して、本発明に従う他の注出栓について具体的に説明する。
図３は、本発明に従う他の注出栓の実施の形態を示す、平面図、側面視での断面図、Ｃ−Ｃに沿う断面図であって、図４は、図３に示す注出栓の上部開口を閉鎖して、容器の口部に装着した側面視での断面図である。なお、上述した図１、図２に示す注出栓と同一の機能を有する部位については、同一の符号を付して、説明は省略する。
【００３０】
図３に示す１３０は、外筒２０の内側に設けられる内筒である。内筒１３０は、外筒２０の内壁２０ａに、連結部１３１を介して一体連結されている。ここで、連結部１３１は、容器本体の口部に取り付けられた際に、上方となる側から下方となる側に向けて傾斜する傾斜壁となっている。内筒１３０の頂部は、容器本体の充填空間内からの内容物を注出する注出口１３３となっている。また、注出口１３３は、上述した傾斜壁と同方向に傾く傾斜開口となっている。そしてこれらの場合、傾斜開口の下端部を傾斜壁の下端部に接続するとともに、この接続部１３４に、接続部１３４から充填空間Ｍに向けて伸延する液戻しリブ１３５を設けることが好ましい。また、注出口１３３には、内容物の液切れ効果を十分に発揮させるべく、僅かに外側に湾曲させたリップ１３３ａを設けることが好ましい。
【００３１】
そして、図３に示すように、接続部１３４の頂壁１３４ａは、傾斜壁の傾斜する向きと反対方向に傾く中心側が低い傾斜頂壁であることが好ましい。
【００３２】
上記のように構成される注出栓を、図４に示すように容器本体４０の口部４１に装着し、摘み部２３を引き上げると、外筒２０は破断予定線２１で破断して、摘み部２３を伴う外筒２０の上部が引きちぎられ、内筒１３０の注出口１３３が露出する。そして、図４に示す注出栓においても、注出口１３３の縁面は滑らかな状態のままであるので、充填空間Ｍ内の内容物をその流れを乱すことなく注出させることができ、また、注出後の液切れも良好となる。
【００３３】
そして、図４に示すように連結部１３１を、上述した傾斜壁とし、注出口１３３を、傾斜壁である連結部１３１と同方向に傾く傾斜開口とするとともに、傾斜開口の下端部を傾斜壁の下端部に接続し、この接続部１３４に液戻しリブ１３５を設ける場合は、内筒１３０の外側に付着した内容物及び注出口１３３の縁部に付着した内容物をこの接続部１３４周辺に集めることができ、さらに、集まった内容物を、液戻しリブ１３５を伝わらせて充填空間Ｍ内に流れ込ませることができるので、液戻し効果を十分に発揮させることが可能となる。
【００３４】
また、接続部１３４の頂壁１３４ａを、傾斜壁の傾斜する向きと反対方向に傾く中心側が低い傾斜頂壁とする場合は、接続部１３４周辺に向けて流れてくる内容物に逆向きの流れを与えることができるので、流れの変化によって内容物が溜まりにくくなり、液戻し効果が一層有効に発揮できる。
【産業上の利用可能性】
【００３５】
本発明によれば、引きちぎりタイプの注出栓に関し、注出中に内容物の流れが乱れることなく所期した通りに注出できる上、注出後は液切れが良好であって、しかも引きちぎりにて外筒を破断する際の液だれが起きにくい、使い勝手のよい注出栓を提供することができる。
【符号の説明】
【００３６】
１０  ベース
１３  貫通孔
２０  外筒
２０ａ  内壁
２１  破断予定線
２２  上部開口
３０  内筒
３１  連結部
３２  液戻し孔
３３  注出口
４０  容器本体
４１  口部
１３０  内筒
１３１  連結部
１３３  注出口
１３４  接続部
１３４ａ  頂壁
１３５  液戻しリブ
Ｍ    充填空間
【図１】
0005806052.tif 000002
【図２】
0005806052.tif 000003
【図３】
0005806052.tif 000004
【図４】
0005806052.tif 000005